(57)【要約】【課題】コネクタ本体と一対のシェルとの電気的接続が良好で、また、ケーブルを損傷することがなく、更に、ケーブルのサイズに応じてクランプと一対のシェルを変更する必要のないケーブル接続用コネクタを提供する。【解決手段】図は分解斜視図であり、上側シェルは示されていない。クランプ６は、集合ケーブル５を固定するクランプ部６ａとフランジ部６ｂを有する。一対の下側シェル３と上側シェルは、コネクタ本体２を保持するコネクタ本体保持部３ａとフランジ部を保持するクランプ保持部３ｄを有する。コネクタ本体をコネクタ本体保持部に組み込み、シェル２ｃと一対の上下両側シェルとを各第１スプリング７によって接続する。フランジ部をクランプ保持部に組み込み、クランプと一対の上下両側シェルとを各第２スプリング８によって接続する。【選択図】      図１
2004335230.tif 000002
【特許請求の範囲】
【請求項１】
コンタクトと、前記コンタクトを保持するインシュレータと、前記コンタクト及び前記インシュレータを被覆するシェルとを有するコネクタ本体と、前記コネクタ本体を保持する一対のシェルと、ケーブルと、前記ケーブルを前記一対のシェルに固定するクランプとから構成されるケーブル接続用コネクタにおいて、
前記クランプは、前記ケーブルを固定するクランプ部と、フランジ部とを有し、
前記一対のシェルは、前記コネクタ本体を保持するコネクタ本体保持部と、前記クランプのフランジ部を保持するクランプ保持部とを有し、
前記コネクタ本体を前記コネクタ本体保持部に組み込み、前記シェルと前記一対のシェルとを第１弾性部材によって接続し、
前記フランジ部を前記クランプ保持部に組み込み、前記クランプと前記一対のシェルとを第２弾性部材によって接続することを特徴とするケーブル接続用コネクタ。
【請求項２】
前記第１弾性部材の構成と前記第２弾性部材の構成とは同一であることを特徴とする請求項１記載のケーブル接続用コネクタ。
【請求項３】
前記クランプのフランジ部が前記第２弾性部材を兼備することを特徴とする請求項１記載のケーブル接続用コネクタ。
【発明の詳細な説明】
【０００１】
【発明の属する技術分野】
本発明は、電磁障害対策を有するケーブル接続用コネクタに関し、高速の電気信号を伝送する電子機器（コンピュータ、サーバ、交換機等）のＩ／Ｏポート等に使用される。
【０００２】
【従来の技術】
従来のケーブル接続用プラグコネクタとレセプタクルコネクタについて図１１〜図１３を参照して説明する。
【０００３】
図１１（Ａ）はプラグコネクタ３１の前面側から見た斜視図、図１１（Ｂ）はプラグコネクタ３１の背面側から見た斜視図、図１１（Ｃ）はレセプタクルコネクタ４１の前面側から見た斜視図を、それぞれ示す。図１２は、プラグコネクタ３１の分解斜視図である。図１３は、２体型のジャンクションシェルの上側シェルが下側シェルからはずされた状態のプラグコネクタ３１の斜視図である。
【０００４】
図１２に示されるように、プラグコネクタ３１は、コネクタ本体３２と、下側シェル３３と、上側シェル３４と、集合ケーブル３５と、ケーブル用クランプ３６と、一対のクランプ用ねじ３７と、一対の嵌合固定用ねじ３８とから構成される。
【０００５】
コネクタ本体３２は、インシュレータ３２ａと、インシュレータ３２ａに保持される複数のコンタクト３２ｂと、インシュレータ３２ａに取り付けられるシェル３２ｃとから構成される。コネクタ本体３２は、下側シェル３３の前面の保持部３３ａに取り付けられる。
【０００６】
集合ケーブル３５の先端付近のシールド被覆３５ｃは、下側シェル３３の後側の中央に形成された半円筒部３３ｂに挿入された後に、ケーブル用クランプ３６を当てがわれる。ケーブル用クランプ３６は、一対のクランプ用ねじ３７によって下側シェル３３に固定される。集合ケーブル３５の各信号線３５ａは、各コンタクト３２ｂと接続する。
【０００７】
一対の嵌合固定用ねじ３８の先端の小径部３８ａは、下側シェル３３の両側に形成された半円筒部３３ｃとシェル３２ｃの両側に設けられた孔３２ｃ１を貫通する。各嵌合固定用ねじ３８の小径部３８ａに隣接する中径部３８ｂは、下側シェル３３の両側に形成された凹部３３ｄに収容される。
【０００８】
上側シェル３４は、下側シェル３３と略同様に構成される。
【０００９】
レセプタクルコネクタ４１は、図１１（Ｃ）に示されるように、インシュレータ４１ａと、インシュレータ４１ａの前面側に保持される複数のコンタクト４１ｂと、インシュレータ４１ａの前面に取り付けられる一対のナット４１ｃとから構成される。
【００１０】
プラグコネクタ３１とレセプタクルコネクタ４１との嵌合操作は、次のように行う。まず、図１１（Ａ），（Ｂ）に示されるように組み立てられたプラグコネクタ３１の各嵌合固定用ねじ３８の小径部３８ａをレセプタクルコネクタ４１の各ナット４１ｃに挿入する。次に、各嵌合固定用ねじ３８の後端の大径部すなわち撮み３８ｃを回転すると、各嵌合固定用ねじ３８は各ナット４１ｃにねじ込まれる。すると、プラグコネクタ３１とレセプタクルコネクタ４１とは嵌合し、プラグコネクタ３１の各コンタクト３２ｂはレセプタクルコネクタ４１の各コンタクト４１ｂと接続する。
【００１１】
この種のケーブル接続用コネクタは、本出願前に頒布された刊行物に記載されている（例えば、特許文献１〜３参照。）。
【００１２】
【特許文献１】
特開平１１−１２１０９４号公報
【００１３】
【特許文献２】
特開平９−２０４９５５号公報
【００１４】
【特許文献３】
特開平６−５３２９号公報
【００１５】
【発明が解決しようとする課題】
前記従来のケーブル接続用プラグコネクタにおいては、コネクタ本体３２と上下両側シェル３３，３４との間に電気的接続を良好に行うための格別の機構が設けられていない。また、コネクタ本体３２と上下両側シェル３３，３４との間に組立をスムーズに行うために隙間が必要とされるから、電気的接続が不安定となるので、電磁障害対策が不十分である。
【００１６】
また、集合ケーブル３５にケーブル用クランプ３６を当てがって、一対のクランプ用ねじ３７によって下側シェル３３に固定する。したがって、各クランプ用ねじ３７による締付力が強ければ、集合ケーブル３５は損傷する。
【００１７】
更に、集合ケーブル３５のサイズに応じて、ケーブル用クランプ３６と上下両側シェル３３，３４を変更しなければならない。
【００１８】
そこで、本発明は、前記従来のケーブル接続用プラグコネクタの欠点を改良し、コネクタ本体と一対のシェルとの電気的接続が良好で、また、ケーブルを損傷することがなく、更に、ケーブルのサイズに応じてクランプと一対のシェルを変更する必要のないケーブル接続用コネクタを提供しようとするものである。
【００１９】
【課題を解決するための手段】
本発明は、前記課題を解決するため、次の手段を採用する。
【００２０】
１．コンタクト（２ｂ）と、前記コンタクトを保持するインシュレータ（２ａ）と、前記コンタクト及び前記インシュレータを被覆するシェル（２ｃ）とを有するコネクタ本体（２）と、前記コネクタ本体を保持する一対のシェル（３，４）と、ケーブル（５）と、前記ケーブルを前記一対のシェルに固定するクランプ（６）とから構成されるケーブル接続用コネクタ（１）において、前記クランプは、前記ケーブルを固定するクランプ部（６ａ）と、フランジ部（６ｂ）とを有し、前記一対のシェルは、前記コネクタ本体を保持するコネクタ本体保持部（３ａ）と、前記クランプのフランジ部を保持するクランプ保持部（３ｄ）とを有し、前記コネクタ本体を前記コネクタ本体保持部に組み込み、前記シェルと前記一対のシェルとを第１弾性部材（７）によって接続し、前記フランジ部を前記クランプ保持部に組み込み、前記クランプと前記一対のシェルとを第２弾性部材（８）によって接続するケーブル接続用コネクタ。
【００２１】
２．前記第１弾性部材の構成と前記第２弾性部材の構成とは同一である前記１記載のケーブル接続用コネクタ。
【００２２】
３．前記クランプのフランジ部が前記第２弾性部材を兼備する前記１記載のケーブル接続用コネクタ。
【００２３】
【発明の実施の形態】
本発明の２つの実施の形態例のケーブル接続用プラグコネクタについて説明する。
【００２４】
まず、第１実施の形態例について図１〜図５を参照して説明する。
【００２５】
図１は、プラグコネクタ１の分解斜視図である。ただし、上側シェルは、示されていない。プラグコネクタ１は、コネクタ本体２と、下側シェル３と、上側シェル４（図２参照）と、集合ケーブル５と、集合ケーブル５にはめられて固定されるクランプ６と、二対の第１スプリング７と、二対の第２スプリング８と、一対の嵌合固定用ねじ９とから構成される。
【００２６】
コネクタ本体２は、インシュレータ２ａと、インシュレータ２ａに保持される複数のコンタクト２ｂと、インシュレータ２ａに取り付けられるシェル２ｃとから構成される。コネクタ本体２は、下側シェル３の前面の一対のコネクタ本体保持部３ａに取り付けられる（詳細は後述する。）。各コネクタ本体保持部３ａの奥に隣接して各第１スプリング７の収容部３ｂが形成される。
【００２７】
クランプ６は、集合ケーブル５にはめられて固定される円筒状のクランプ部６ａと長方形板状のフランジ部６ｂとから一体に構成される。
【００２８】
集合ケーブル５の先端付近のシールド被覆５ｃとクランプ６のクランプ部６ａは、下側シェル３の後側の中央に形成された半円筒部３ｃに挿入され、フランジ部６ｂは、半円筒部３ｃを横切るように下側シェル３に形成された溝状のクランプ保持部３ｄに挿入される。クランプ保持部３ｄの両端付近に隣接して各第２スプリング８の収容部３ｅが形成される。集合ケーブル５の各信号線５ａは、各コンタクト２ｂと接続する。
【００２９】
一対の嵌合固定用ねじ９の先端の小径部９ａは、下側シェル３の両側に形成された半円筒部３ｆとシェル２ｃの両側に設けられた孔２ｃ１を貫通する。各嵌合固定用ねじ９の小径部９ａに隣接する中径部９ｂは、下側シェル３の両側に形成された凹部３ｇに収容される。
【００３０】
上側シェル４は、下側シェル３と略同様に構成される。
【００３１】
図１に示されるプラグコネクタ１を組み立てると、図２に示される状態に至る。プラグコネクタ１と相手側のレセプタクルコネクタ（図示せず）とを嵌合するときには、各嵌合固定用ねじ９の後端の大径部すなわち撮み９ｃを回転すると、先端の小径部９ａはレセプタクルコネクタの各ナットにねじ込まれる。すると、プラグコネクタ１とレセプタクルコネクタとは嵌合し、プラグコネクタ１の各コンタクト２ｂはレセプタクルコネクタの各コンタクトと接続する。
【００３２】
各第１スプリング７の作用について図３を参照して詳細に説明する。下側の各第１スプリング７の一方の先端７ａ１はコネクタ本体２のシェル２ｃと圧接し、他方の先端７ｂ１は下側シェル３と圧接し、平面部７ｃも下側シェル３と圧接する。上側の各第１スプリング７の一方の先端７ａ１はコネクタ本体２のシェル２ｃと圧接し、他方の先端７ｂ１は上側シェル４と圧接し、平面部７ｃも上側シェル４と圧接する。
【００３３】
各第１スプリング７の詳細な構造を図４に示す。各第２スプリング８は、各第１スプリング７と同様に構成することができる。第１スプリング７は、平面部７ｃと、平面部７ｃの一方側に連続する外側湾曲部７ａと、平面部７ｃの他方側に連続する内側湾曲部７ｂとから一体に構成される。平面部７ｃの両側面には、ダボ７ｃ１が形成される。両ダボ７ｃ１は、第１スプリング７が収容部３ｂに収容されたとき、フリクションロック構造の役割を果すので、組立性が向上し、また、第１スプリング７は収容部３ｂに確実に固定される。
【００３４】
各第２スプリング８の作用について図５を参照して詳細に説明する。上側の各第２スプリング８の一方の先端８ａ１はクランプ６のフランジ部６ｂと圧接し、他方の先端８ｂ１は上側シェル４と圧接し、平面部８ｃも上側シェル４と圧接する。下側の各第２スプリング８の一方の先端８ａ１はクランプ６のフランジ部６ｂと圧接し、他方の先端８ｂ１は下側シェル３と圧接し、平面部８ｃも下側シェル３と圧接する。
【００３５】
次に、本発明の第２実施の形態例について図６を参照して説明する。第２実施の形態例については、第１実施の形態例と同様な点の説明を省略し、相違する点の説明のみを行う。
【００３６】
第２実施の形態例においては、第１実施の形態例が必要とする各第２スプリング８を除去し、クランプ６のフランジ部６ｂの周辺付近の４箇所に、図６（Ｅ）〜（Ｇ）に示されるように、突起６ｂ１を形成する。各突起６ｂ１に接近して図６（Ｆ）に示されるように、プラグコネクタ１の幅方向にスリット６ｂ２を設ける。また、各スリット６ｂ２を設計変更して、図６（Ｇ）に示されるように、各突起６ｂ１の両側にフランジ部６ｂの周辺からプラグコネクタ１の高さ方向にスリット６ｂ４を設ける。このように改造すると、図６（Ｆ）と（Ｇ）において、トラック状の線で囲んだ部分が、スプリング部６ｂ３，６ｂ５となる。
【００３７】
集合ケーブルのクランプ方法を図７（Ａ）〜（Ｇ）に順次示す。
【００３８】
集合ケーブル５は、複数の信号線５ａを中心として順次外側にコンダクタ５ｂ、シールド被覆５ｃ、外皮５ｄが被覆することによって構成される。図７（Ａ）は、外皮５ｄからシールド被覆５ｃが露出され、更に、シールド被覆５ｃから各信号線５ａが露出されたケーブル処理工程を示す。図７（Ｂ）、はシールド被覆５ｃに内部リング５ｅがはめられた内部リング装着工程を示す。図７（Ｃ）は、シールド被覆５ｃを内部リング５ｅ上にかぶせたシールド被覆折り返し工程を示す。図７（Ｄ）は、折り返されたシールド被覆５ｃ上にクランプ６をはめたクランプ装着工程を示す。図７（Ｅ）は、クランプ６のクランプ部６ａを６角形にカシメたクランプカシメ工程を示す。図７（Ｆ）は図７（Ｄ）における線Ａ−Ａによる断面図（カシメ前）、図７（Ｇ）は図７（Ｅ）における線Ｂ−Ｂによる断面図（カシメ後、ただし、内部リング５ｅは変形しない。）を、それぞれ示す。
【００３９】
図８は、クランプ６のクランプ部６ａを部分的にカシメた状態の断面図（ただし、内部リング５ｅは変形しない。）を示す。
【００４０】
図９（Ａ）と（Ｂ）は、集合ケーブル５のサイズと内部リング５ｅとの関係を示す。（Ａ）に示されるように、シールド被覆５ｃのサイズが大きい場合には、内部リング５ｅの厚みを薄く構成し、（Ｂ）に示されるように、シールド被覆５ｃのサイズが小さい場合には、内部リング５ｅの厚みを厚く構成する。いずれの場合も、内部リング５ｅは、内径が変更されるが、外径は一定である。このように構成すると、上下両側シェル３，４とクランプ６は、同一のものを使用することができる。
【００４１】
図１０（Ａ）〜（Ｅ）は、内部リング５ｅの詳細な構造の諸図を示す。（Ｃ）に示されるように、内部リング５ｅの一端側の内周面には、シールド被覆５ｃへの装着性を向上するために、面取り５ｅ１を形成し、他端側の内周面と外周面には、シールド被覆５ｃの破断を防止するために、それぞれ面取り５ｅ２，５ｅ３を形成する。また、（Ｄ）に示されるように、内部リング５ｅの外周面に数本の溝５ｅ４を形成すると、カシメ力が向上する。更に、（Ｅ）に示されるように、内部リング５ｅの一端側の外周面にストッパ５ｅ５を形成すると、外部からクランプ６を介して集合ケーブル５に及ぼされる力から、集合ケーブル５は保護される。
【００４２】
【発明の効果】
以上の説明から明らかなように、本発明によれば、次の効果が、奏される。
【００４３】
１．コネクタ本体のシェルとコネクタ本体を保持する一対のシェルとを第１弾性部材によって接続し、クランプと一対のシェルとを第２弾性部材によって接続するから、コネクタ本体と一対のシェルとの電気的接続が確実に行われるので、電磁障害対策が十分に図られる。
【００４４】
２．ケーブルは、クランプによって一対のシェルに固定されるので、損傷され難い。
【００４５】
３．第１弾性部材の構成と第２弾性部材の構成とは、同一であっても支障がないので、部品の種類が減少する。
【００４６】
４．クランプのフランジ部が第２弾性部材を兼備するので、部品点数が減少する。したがって、構造が簡素になり、コネクタがコンパクトになり、組立分解が簡易になり、コストが安価になる。
【００４７】
５．ケーブルのサイズに応じてクランプと一対のシェルを変更する必要がないので、便利である。
【図面の簡単な説明】
【図１】本発明の第１実施の形態例のケーブル接続用プラグコネクタの分解斜視図である。ただし、上側シェルは、示されていない。
【図２】同プラグコネクタの組立状態の斜視図であり、（Ａ）は背面側から見たもの、（Ｂ）は前面側から見たものを、それぞれ示す。
【図３】同プラグコネクタにおけるコネクタ本体と上下両側シェルとの第１スプリングによる電気的接続を示す諸図であり、（Ａ）は平面図、（Ｂ）は正面図、（Ｃ）は側面図、（Ｄ）は（Ｂ）における線Ａ−Ａによる断面図、（Ｅ）は（Ｂ）における線Ｂ−Ｂによる断面図を、それぞれ示す。
【図４】同プラグコネクタにおける第１スプリング及び第２スプリングと上下両側シェルとの関係を示す諸図であり、（Ａ）は両スプリングが組み込まれた下側シェルの斜視図、（Ｂ）は両スプリングの上下両側シェルの収容部への組み込み方法の斜視図、（Ｃ）は両スプリングの背面側から見た斜視図を、それぞれ示す。
【図５】同プラグコネクタにおけるクランプと上下両側シェルとの第２スプリングによる電気的接続を示す諸図であり、（Ａ）は平面図、（Ｂ）は正面図、（Ｃ）は側面図、（Ｄ）は（Ｂ）における線Ａ−Ａによる断面図、（Ｅ）は（Ｄ）における線Ｂ−Ｂによる断面図、（Ｆ）は（Ｄ）における線Ｃ−Ｃによる断面図を、それぞれ示す。
【図６】本発明の第２実施の形態例のケーブル接続用プラグコネクタの諸図であり、（Ａ）は平面図、（Ｂ）は正面図、（Ｃ）は側面図、（Ｄ）は（Ｂ）における線Ａ−Ａによる断面図、（Ｅ）は（Ｄ）におけるＣ部の拡大平面図、（Ｆ）は（Ｄ）における線Ｂ−Ｂによる断面図、（Ｇ）は（Ｄ）における線Ｂ−Ｂによる一設計変更例の断面図を、それぞれ示す。
【図７】本発明の各実施の形態例のケーブル接続用プラグコネクタにおける集合ケーブルのクランプ方法を順次（Ａ）〜（Ｇ）に示す。
【図８】同クランプ方法におけるクランプのクランプ部を部分的にカシメた状態の断面図である。
【図９】同集合ケーブルと内部リングとの関係の断面図であり、（Ａ）は同集合ケーブルのシールド被覆が大きい場合、（Ｂ）は同シールド被覆が小さい場合を、それぞれ示す。
【図１０】同内部リングの詳細な構造の諸図を（Ａ）〜（Ｅ）にそれぞれ示す。
【図１１】従来のケーブル接続用プラグコネクタとレセプタクルコネクタの斜視図であり、（Ａ）は前面側から見たプラグコネクタ、（Ｂ）は背面側から見たプラグコネクタ、（Ｃ）は前面側から見たレセプタクルコネクタを、それぞれ示す。
【図１２】同プラグコネクタの分解斜視図である。
【図１３】同プラグコネクタの組立状態の斜視図である。ただし、上側シェルは、下側シェルから外されている。
【符号の説明】
１    プラグコネクタ
２    コネクタ本体
２ａ    インシュレータ
２ｂ    コンタクト
２ｃ    シェル
２ｃ１    孔
３    下側シェル
３ａ    コネクタ本体保持部
３ｂ    収容部
３ｃ    半円筒部
３ｄ    クランプ保持部
３ｅ    収容部
３ｆ    半円筒部
３ｇ    凹部
４    上側シェル
４ｂ    収容部
４ｄ    クランプ保持部
５    集合ケーブル
５ａ    信号線
５ｂ    コンダクタ
５ｃ    シールド被覆
５ｄ    外皮
５ｅ    内部リング
５ｅ１    面取り
５ｅ２    面取り
５ｅ３    面取り
５ｅ４    溝
５ｅ５    ストッパ
６    クランプ
６ａ    クランプ部
６ｂ    フランジ部
６ｂ１    突起
６ｂ２    スリット
６ｂ３    スプリング部
６ｂ４    スリット
６ｂ５    スプリング部
７    第１スプリング
７ａ    外側湾曲部
７ａ１    先端
７ｂ    内側湾曲部
７ｂ１    先端
７ｃ    平面部
７ｃ１    ダボ
８    第２スプリング
８ａ    外側湾曲部
８ａ１    先端
８ｂ    内側湾曲部
８ｂ１    先端
８ｃ    平面部
８ｃ１    ダボ
９    嵌合固定用ねじ
９ａ    小径部
９ｂ    中径部
９ｃ    大径部、撮み
【図１】
2004335230.tif 000003
【図２】
2004335230.tif 000004
【図３】
2004335230.tif 000005
【図４】
2004335230.tif 000006
【図５】
2004335230.tif 000007
【図６】
2004335230.tif 000008
【図７】
2004335230.tif 000009
【図８】
2004335230.tif 000010
【図９】
2004335230.tif 000011
【図１０】
2004335230.tif 000012
【図１１】
2004335230.tif 000013
【図１２】
2004335230.tif 000014
【図１３】
2004335230.tif 000015